【手続補正書】
【提出日】平成29年11月15日(2017.11.15)
【手続補正１】
【補正対象書類名】特許請求の範囲
【補正対象項目名】全文
【補正方法】変更
【補正の内容】
【特許請求の範囲】
【請求項１】
第１の方向と、前記第１の方向に直交する第２の方向とに２次元状に広がる矩形状の撮像面を有し、前記撮像面の前記第２の方向の寸法が前記撮像面の前記第１の方向の寸法よりも大きく、撮像信号を生成する撮像素子と、
互いに異なる光軸を有する第１の対物光学系および第２の対物光学系を有し、前記第１の対物光学系を通過した光が前記撮像面の第１の撮像領域に第１の像を形成し、前記第２の対物光学系を通過した光が前記撮像面の第２の撮像領域に第２の像を形成し、前記第１の撮像領域は前記撮像面において前記第２の方向の中央位置よりも前記第２の方向にあり、前記第２の撮像領域は前記撮像面において前記第２の方向の中央位置よりも前記第２の方向と反対の方向にあるステレオ光学系と、
前記撮像信号に基づいて、表示信号を生成する表示信号生成部と、
第３の方向と、前記第３の方向に直交する第４の方向とに２次元状に広がる矩形状の表示面を有し、前記表示面の前記第４の方向の寸法が前記表示面の前記第３の方向の寸法よりも大きく、前記表示信号に基づいて画像を表示するディスプレイと、
前記第１の像に基づく第１の画像および前記第２の像に基づく第２の画像を同時に前記ディスプレイに表示する双眼表示モードと、前記第１の画像のみを前記ディスプレイに表示する単眼表示モードのいずれか１つを選択する表示モード選択部と、
を有し、
前記表示信号生成部は、前記単眼表示モードが選択された場合、前記第１の画像における前記第２の方向が前記第３の方向に一致し、前記第１の画像における前記第１の方向が前記第４の方向に一致するように、かつ、前記単眼表示モードにおける前記ディスプレイ上での前記第１の画像の表示領域が、前記双眼表示モードにおける前記ディスプレイ上での前記第１の画像の表示領域よりも大きくなるように前記表示信号を生成する
ことを特徴とする内視鏡装置。
【請求項２】
前記表示信号生成部は、前記双眼表示モードが選択された場合、前記第１の画像および前記第２の画像における前記第２の方向が前記第３の方向に一致し、前記第１の画像および前記第２の画像における前記第１の方向が前記第４の方向に一致するように前記表示信号を生成する
ことを特徴とする請求項１に記載の内視鏡装置。
【請求項３】
前記表示信号生成部は、前記双眼表示モードが選択された場合、前記第１の画像および前記第２の画像が前記表示面の前記第３の方向に沿って並ぶように前記表示信号を生成する
ことを特徴とする請求項２に記載の内視鏡装置。
【請求項４】
前記表示信号生成部は、前記双眼表示モードが選択された場合、前記第１の画像および前記第２の画像が前記表示面の前記第４の方向に沿って並ぶように前記表示信号を生成する
ことを特徴とする請求項２に記載の内視鏡装置。
【請求項５】
前記表示信号生成部は、前記双眼表示モードが選択された場合、前記第１の像から第１の視野領域の像を切り出し、前記第２の像から第２の視野領域の像を切り出すことにより前記表示信号を生成し、
前記双眼表示モードにおける前記第１の視野領域と第２の視野領域とは、前記単眼表示モードにおける前記第１の像の第３の視野領域よりも小さい
ことを特徴とする請求項２に記載の内視鏡装置。
【請求項６】
前記第１の視野領域と前記第２の視野領域とは、前記第１の像と前記第２の像とにおける共通の視野領域を含む
ことを特徴とする請求項５に記載の内視鏡装置。
【請求項７】
前記第１の視野領域は、前記第１の像における中央の領域であり、前記第２の視野領域は、前記第２の像における中央の領域である
ことを特徴とする請求項５に記載の内視鏡装置。
【請求項８】
前記第１の視野領域と前記第２の視野領域との一方は、前記第１の像と前記第２の像との一方においてユーザによって指定された第１の位置を含む視野領域であり、前記第１の視野領域と前記第２の視野領域との他方は、前記第１の像と前記第２の像との他方において前記第１の位置に対応する第２の位置を含む視野領域である
ことを特徴とする請求項５に記載の内視鏡装置。
【請求項９】
前記第１の位置は、ユーザによって指定された計測点の位置である
ことを特徴とする請求項８に記載の内視鏡装置。
【請求項１０】
前記第１の位置は、ユーザによって指定された測距用照準の位置である
ことを特徴とする請求項８に記載の内視鏡装置。
【請求項１１】
第１の方向と、前記第１の方向に直交する第２の方向とに２次元状に広がる矩形状の撮像面を有し、前記撮像面の前記第２の方向の寸法が前記撮像面の前記第１の方向の寸法よりも大きく、撮像信号を生成する撮像素子と、
互いに異なる光軸を有する第１の対物光学系および第２の対物光学系を有し、前記第１の対物光学系を通過した光が前記撮像面に第１の像を形成し、前記第２の対物光学系を通過した光が前記撮像面に第２の像を形成するステレオ光学系と、
前記撮像信号に基づいて、表示信号を生成する表示信号生成部と、
第３の方向と、前記第３の方向に直交する第４の方向とに２次元状に広がる矩形状の表示面を有し、前記表示面の前記第４の方向の寸法が前記表示面の前記第３の方向の寸法よりも大きく、前記表示信号に基づいて画像を表示するディスプレイと、
を有し、
前記表示信号生成部は、前記第１の像に基づく第１の画像のみを前記ディスプレイに表示する場合、前記第１の画像における前記第２の方向が前記第３の方向に一致し、前記第１の画像における前記第１の方向が前記第４の方向に一致するように、かつ、前記第１の画像が拡大表示されるように、前記撮像信号を拡大処理して前記表示信号を生成する
ことを特徴とする内視鏡装置。
【請求項１２】
２次元状に広がる矩形状の撮像面を有し、撮像信号を生成する撮像素子と、
互いに異なる光軸を有する第１の対物光学系および第２の対物光学系を有し、前記第１の対物光学系を通過した光が前記撮像面に第１の像を形成し、前記第２の対物光学系を通過した光が前記撮像面に第２の像を形成するステレオ光学系と、
前記撮像信号に基づいて、表示信号を生成する表示信号生成部と、
第３の方向と、前記第３の方向に直交する第４の方向とに２次元状に広がる矩形状の表示面を有し、前記表示面の前記第４の方向の寸法が前記表示面の前記第３の方向の寸法よりも大きく、前記表示信号に基づいて画像を表示するディスプレイと、
前記第１の像に基づく第１の画像および前記第２の像に基づく第２の画像を同時に前記ディスプレイに表示する双眼表示モードと、前記第１の画像のみを前記ディスプレイに表示する単眼表示モードのいずれか１つを選択する表示モード選択部と、
を有し、
前記表示信号生成部は、前記単眼表示モードが選択された場合、前記第１の画像における短手方向が前記第３の方向に一致し、前記第１の画像における長手方向が前記第４の方向に一致するように、かつ、前記単眼表示モードにおける前記ディスプレイ上での前記第１の画像の表示領域が、前記双眼表示モードにおける前記ディスプレイ上での前記第１の画像の表示領域よりも大きくなるように前記表示信号を生成する
ことを特徴とする内視鏡装置。
【請求項１３】
第１の方向と、前記第１の方向に直交する第２の方向とに２次元状に広がる矩形状の撮像面を有し、前記撮像面の前記第２の方向の寸法が前記撮像面の前記第１の方向の寸法よりも大きく、撮像信号を生成する撮像素子と、
互いに異なる光軸を有する第１の対物光学系および第２の対物光学系を有し、
前記第１の対物光学系を通過した光が前記撮像面に第１の像を形成し、
前記第２の対物光学系を通過した光が前記撮像面に第２の像を形成するものであって、
前記第１の像および前記第２の像のそれぞれの長手方向が、前記撮像素子の前記第１の方向に一致するように、かつ前記第１の像および前記第２の像のそれぞれの短手方向が、前記撮像素子の前記第２の方向に一致するように、前記撮像面に前記第１の像および前記第２の像を形成するステレオ光学系と、
前記撮像信号に基づいて、表示信号を生成する表示信号生成部と、
第３の方向と、前記第３の方向に直交する第４の方向とに２次元状に広がる矩形状の表示面を有し、前記表示面の前記第４の方向の寸法が前記表示面の前記第３の方向の寸法よりも大きく、前記表示信号に基づいて画像を表示するディスプレイと、
を有し、
前記表示信号生成部は、前記第１の像に基づく第１の画像のみを前記ディスプレイに表示する場合、前記第１の画像における短手方向が前記第３の方向に一致し、前記第１の画像における長手方向が前記第４の方向に一致するように、かつ、前記第１の画像が拡大表示されるように、前記撮像信号を拡大処理して前記表示信号を生成する
ことを特徴とする内視鏡装置。
【手続補正２】
【補正対象書類名】明細書
【補正対象項目名】００２１
【補正方法】変更
【補正の内容】
【００２１】
また、本発明の内視鏡装置において、前記第１の位置は、ユーザによって指定された測距用照準の位置であることを特徴とする。
また、本発明は、第１の方向と、前記第１の方向に直交する第２の方向とに２次元状に広がる矩形状の撮像面を有し、前記撮像面の前記第２の方向の寸法が前記撮像面の前記第１の方向の寸法よりも大きく、撮像信号を生成する撮像素子と、互いに異なる光軸を有する第１の対物光学系および第２の対物光学系を有し、前記第１の対物光学系を通過した光が前記撮像面に第１の像を形成し、前記第２の対物光学系を通過した光が前記撮像面に第２の像を形成するステレオ光学系と、前記撮像信号に基づいて、表示信号を生成する表示信号生成部と、第３の方向と、前記第３の方向に直交する第４の方向とに２次元状に広がる矩形状の表示面を有し、前記表示面の前記第４の方向の寸法が前記表示面の前記第３の方向の寸法よりも大きく、前記表示信号に基づいて画像を表示するディスプレイと、を有し、前記表示信号生成部は、前記第１の像に基づく第１の画像のみを前記ディスプレイに表示する場合、前記第１の画像における前記第２の方向が前記第３の方向に一致し、前記第１の画像における前記第１の方向が前記第４の方向に一致するように、かつ、前記第１の画像が拡大表示されるように、前記撮像信号を拡大処理して前記表示信号を生成することを特徴とする内視鏡装置である。
また、本発明は、２次元状に広がる矩形状の撮像面を有し、撮像信号を生成する撮像素子と、互いに異なる光軸を有する第１の対物光学系および第２の対物光学系を有し、前記第１の対物光学系を通過した光が前記撮像面に第１の像を形成し、前記第２の対物光学系を通過した光が前記撮像面に第２の像を形成するステレオ光学系と、前記撮像信号に基づいて、表示信号を生成する表示信号生成部と、第３の方向と、前記第３の方向に直交する第４の方向とに２次元状に広がる矩形状の表示面を有し、前記表示面の前記第４の方向の寸法が前記表示面の前記第３の方向の寸法よりも大きく、前記表示信号に基づいて画像を表示するディスプレイと、前記第１の像に基づく第１の画像および前記第２の像に基づく第２の画像を同時に前記ディスプレイに表示する双眼表示モードと、前記第１の画像のみを前記ディスプレイに表示する単眼表示モードのいずれか１つを選択する表示モード選択部と、を有し、前記表示信号生成部は、前記単眼表示モードが選択された場合、前記第１の画像における短手方向が前記第３の方向に一致し、前記第１の画像における長手方向が前記第４の方向に一致するように、かつ、前記単眼表示モードにおける前記ディスプレイ上での前記第１の画像の表示領域が、前記双眼表示モードにおける前記ディスプレイ上での前記第１の画像の表示領域よりも大きくなるように前記表示信号を生成することを特徴とする内視鏡装置である。
また、本発明は、第１の方向と、前記第１の方向に直交する第２の方向とに２次元状に広がる矩形状の撮像面を有し、前記撮像面の前記第２の方向の寸法が前記撮像面の前記第１の方向の寸法よりも大きく、撮像信号を生成する撮像素子と、互いに異なる光軸を有する第１の対物光学系および第２の対物光学系を有し、前記第１の対物光学系を通過した光が前記撮像面に第１の像を形成し、前記第２の対物光学系を通過した光が前記撮像面に第２の像を形成するものであって、前記第１の像および前記第２の像のそれぞれの長手方向が、前記撮像素子の前記第１の方向に一致するように、かつ前記第１の像および前記第２の像のそれぞれの短手方向が、前記撮像素子の前記第２の方向に一致するように、前記撮像面に前記第１の像および前記第２の像を形成するステレオ光学系と、前記撮像信号に基づいて、表示信号を生成する表示信号生成部と、第３の方向と、前記第３の方向に直交する第４の方向とに２次元状に広がる矩形状の表示面を有し、前記表示面の前記第４の方向の寸法が前記表示面の前記第３の方向の寸法よりも大きく、前記表示信号に基づいて画像を表示するディスプレイと、を有し、前記表示信号生成部は、前記第１の像に基づく第１の画像のみを前記ディスプレイに表示する場合、前記第１の画像における短手方向が前記第３の方向に一致し、前記第１の画像における長手方向が前記第４の方向に一致するように、かつ、前記第１の画像が拡大表示されるように、前記撮像信号を拡大処理して前記表示信号を生成することを特徴とする内視鏡装置である。
【手続補正３】
【補正対象書類名】明細書
【補正対象項目名】００２２
【補正方法】変更
【補正の内容】
【００２２】
本発明によれば、単眼表示モードが選択された場合、第１の画像における第２の方向が第３の方向に一致し、第１の画像における第１の方向が第４の方向に一致するように、かつ、単眼表示モードにおけるディスプレイ上での第１の画像の表示領域が、双眼表示モードにおけるディスプレイ上での第１の画像の表示領域よりも大きくなるように表示信号が生成される。あるいは、第１の像に基づく第１の画像のみがディスプレイに表示される場合、第１の画像における第２の方向が第３の方向に一致し、第１の画像における第１の方向が第４の方向に一致するように、かつ、第１の画像が拡大表示されるように、撮像信号が拡大処理されて表示信号が生成される。あるいは、単眼表示モードが選択された場合、第１の画像における短手方向が第３の方向に一致し、第１の画像における長手方向が第４の方向に一致するように、かつ、単眼表示モードにおけるディスプレイ上での第１の画像の表示領域が、双眼表示モードにおけるディスプレイ上での第１の画像の表示領域よりも大きくなるように表示信号が生成される。あるいは、第１の像に基づく第１の画像のみがディスプレイに表示される場合、第１の画像における短手方向が第３の方向に一致し、第１の画像における長手方向が第４の方向に一致するように、かつ、第１の画像が拡大表示されるように、撮像信号が拡大処理されて表示信号が生成される。このため、視認性を向上させつつ、ディスプレイの表示領域をより有効に利用することができる。